(57)【特許請求の範囲】
【請求項１】
物品を載置したトレイ(20)にカバーとして被せ、物品梱包時にトレイ(20)に固定し、開梱時にトレイ(20)から分離して除去するトレイカバー箱(10)において、トレイ(20)に載置した物品の上方に位置する天板(1)には、一対の端辺に側板(2)及び底フラップ(3)を順次連設し、他対の端辺に天端片(4)を連設し、側板(2)の側端に端フラップ(5)を、底フラップ(3)の側端に底端片(6)をそれぞれ連設し、両側板(2)に指穴(7)を設け、物品の梱包時には、底フラップ(3)でトレイ(20)の底面の端部を受け止め、天端片(4)で端フラップ(5)同士を連結し、各底端片(6)をそれぞれ各端フラップ(5)に固定し、開梱時には、天端片(4)による端フラップ(5)同士の連結を解除し、指穴(7)を利用して両側板(2)を外側へ引っ張り、下広がりに離反させて、底フラップ(3)によるトレイ(20)の受け止めを解除することを特徴とするトレイカバー箱。
【発明の詳細な説明】
【技術分野】
【０００１】
この発明は、物品の梱包時にトレイに被せ、店頭における物品の陳列に際し、トレイから取り外すトレイカバー箱に関するものである。
【背景技術】
【０００２】
従来、下記特許文献１には、図５に示すように、段ボール等の厚紙を材料とするトレイ５１及びカバー５２とから成り、物品梱包時に、物品を載置したトレイ５１にカバー５２を被せて固定し、店頭における開梱時に、トレイ５１からカバー５２を分離して除去し、トレイ５１から物品を露出させて陳列する包装陳列兼用箱が記載されている。
【０００３】
トレイ５１は、四角筒状の周壁の各面を形成する側板５３と、その下端から延びて噛合により底面を閉止する底板５４とを備え、３方の側板５３に切目線を入れて分離部５５を形成したものとされている。
【０００４】
また、カバー５２は、四角筒状の周壁の各面を形成する側板５６と、その上端から延びる天板５７とを備え、３方の側板５６に切目線を入れて揺動片部５８を形成したものとされている。
【０００５】
この包装陳列兼用箱では、物品の梱包に際し、トレイ５１にカバー５２を被せ、分離部５５と揺動片部５８とを接着し、天板５７を折り曲げて天面を閉止する。そして、開梱時には、カバー５２の揺動片５８を切り起こして、その裏面に貼り付いた分離部５５をトレイ５１の側板５３から切断し、トレイ５１からカバー５２を分離して上方へ引き抜き、トレイ５１に載った物品を露出させる。
【先行技術文献】
【特許文献】
【０００６】
【特許文献１】登録実用新案第３１６７８８２号公報
【発明の概要】
【発明が解決しようとする課題】
【０００７】
しかしながら、例えば、トレイとしてプラスチックの成形品を使用する場合、カバーに接着されたトレイの分離部を、開梱時に切断することが困難となるため、上記包装陳列兼用箱のような構成を採用することはできない。
【０００８】
そこで、この発明は、トレイの材料にかかわらず、簡単にトレイから分離できるカバー箱を提供することを課題とする。
【課題を解決するための手段】
【０００９】
上記課題を解決するため、この発明は、物品を載置したトレイにカバーとして被せ、物品梱包時にトレイに固定し、開梱時にトレイから分離して除去するトレイカバー箱において、トレイに載置した物品の上方に位置する天板には、一対の端辺に側板及び底フラップを順次連設し、他対の端辺に天端片を連設し、側板の側端に端フラップを、底フラップの側端に底端片をそれぞれ連設し、両側板に指穴を設け、物品の梱包時には、底フラップでトレイの底面の端部を受け止め、天端片で端フラップ同士を連結し、各底端片をそれぞれ各端フラップに固定し、開梱時には、天端片による端フラップ同士の連結を解除し、指穴を利用して両側板を外側へ引っ張り、下広がりに離反させて、底フラップによるトレイの受け止めを解除することとしたのである。
【発明の効果】
【００１０】
この発明に係るトレイカバー箱では、物品の梱包時に、トレイに接着しなくても、トレイの底面を底フラップで受け止めて、トレイの脱落を防止することができる。
【００１１】
そして、開梱に際し、トレイとの接着部分を切断したりすることなく、底フラップによるトレイの受け止めを解除できるので、トレイの材料にかかわらず、簡単にトレイから分離し、トレイに載った物品を陳列することができる。
【００１２】
また、底フラップは、短くてもよいので、材料である段ボール等の使用面積を抑制することができ、トレイから分離する際における底フラップの引っ掛かりを防止できる。
【図面の簡単な説明】
【００１３】
【図１】この発明に係るトレイカバー箱による物品梱包状態を示す斜視図
【図２】同上の梱包過程を示す斜視図
【図３】同上の開梱過程を示す斜視図
【図４】同上のブランクを示す図
【図５】従来の包装陳列兼用箱の梱包過程を示す斜視図
【発明を実施するための形態】
【００１４】
以下、この発明の実施形態を添付図面に基づいて説明する。
【００１５】
図１に示すように、このトレイカバー箱１０は、歯磨き粉等のチューブ商品Ｔの物流過程において、チューブ商品Ｔを載置したプラスチック成形品のトレイ２０に被せる段ボール製のものである。
【００１６】
このトレイカバー箱１０のブランクは、図４に示すように、長方形状の天板１の一対の長さ方向の端辺に、側板２及び底フラップ３を順次連設し、他対の幅方向の端辺に天端片４を連設し、側板２の両側端に端フラップ５を、底フラップ３の両側端に底端片６をそれぞれ連設したものとされている。
【００１７】
端フラップ５の側板２からの長さ寸法は、天板１の幅方向の寸法の略１／２となっており、底フラップ３の側板２からの長さ寸法は、端フラップ５よりも短く、天板１の幅方向の寸法の１／２よりも短くなっている。また、材料の使用効率を考慮して、天端片４及び底端片６の先端は、端フラップ５の先端に揃っている。
【００１８】
両方の側板２には、天板１側のヒンジとなる折目線からコ字状の切目線を入れて、押込に伴い開口する指穴７が設けられている。また、天端片４の先端中央部には、弧状に切り欠いた指掛部４ａが設けられている。
【００１９】
このようなブランクからトレイカバー箱１０を組み立てて、チューブ商品Ｔを梱包する際には、図２に示すように、トレイ２０に載置されたチューブ商品Ｔの上方に天板１を位置させ、天板１から両側板２を下方へ折り曲げ、各側板２から底フラップ３をトレイ２０の底面を受け止めるように内側へ折り曲げる。
【００２０】
次に、各側板２から端フラップ５を突合する方向へ折り曲げ、天板１から天端片４を下方へ、底フラップ３から底端片６を上方へそれぞれ折り曲げる。
【００２１】
そして、図１に示すように、天端片４を、突き合わされた端フラップ５に跨ってその上部外面に貼り付けることにより、端フラップ５同士を連結し、各底端片６を、それぞれ各端フラップ５の下部外面に貼り付ける。
【００２２】
この梱包状態では、底フラップ３が短いことから、トレイ２０の底面の一部が覆われることがなく、露出した状態となっている。
【００２３】
一方、このように梱包したチューブ商品Ｔを店頭で陳列する際には、天端片４の指掛部４ａに指を掛けて、天端片４を捲り上げることにより、図３に示すように、端フラップ５から天端片４を剥がし、端フラップ５同士の連結を解除した状態で、指穴７の切目線の内側を押し込み、開口した指穴７に指を入れて、両側板２を外側へ引っ張り、両側板２を下広がりに離反させて、底フラップ３によるトレイ２０の受け止めを解除する。
【００２４】
そして、トレイカバー箱１０をトレイ２０から除去し、トレイ２０に載ったチューブ商品Ｔを露出させる。
【００２５】
上記のようなトレイカバー箱１０では、チューブ商品Ｔ等の物品の梱包時に、物品が載ったトレイ２０の底面を底フラップ３で受け止めるので、トレイ２０に接着しなくても、運搬時におけるトレイ２０の脱落を防止することができる。
【００２６】
また、底フラップ３は、短くてもよいので、材料である段ボール等の使用面積を抑制することができる。
【００２７】
さらに、それ自体に荷重に対する強度があるため、物流過程において、外装箱に収納しなくても、多数個積み上げて輸送し、保管しておくことができる。
【００２８】
そして、開梱に際し、天端片４による端フラップ５の連結を解除し、指穴７を利用して両側板２を外側へ引っ張り、両側板２を下広がりに離反させるだけで、底フラップ３によるトレイ２０の受け止めを解除できるので、トレイ２０の材料にかかわらず、簡単にトレイ２０から分離し、トレイ２０に載った物品を陳列することができる。
【００２９】
また、底フラップ３を短くしたことから、両側板２を僅かに離反させるだけで、底フラップ３が引っ掛かることなく、トレイ２０から分離することができる。
【００３０】
なお、上記実施形態では、底フラップ３として、側板２の全幅に及んでトレイ２０の底面の端部を受け止めるものを例示したが、底フラップ３は、側板２の両端部のみから延出され、トレイ２０の底面の隅部のみを受け止めるコーナー片としてもよい。
【００３１】
また、天端片４又は底端片６と端フラップ５との固定に当たっては、その手段として、ホットメルト接着剤や糊などによる接着のほか、差込片と差込穴による固定や、テープによる封緘を採用してもよい。
【００３２】
また、指穴７として、押し込むことにより開口するものを例示したが、指穴７は、側板２を切り抜いて、最初から開口しているものとしてもよい。
【００３３】
また、開梱に際し、天端片４を端フラップ５から剥がして、端フラップ５同士の連結を解除するようにしたが、天端片４に予めミシン目状の切目線や鉤状の切目が断続するジッパー型の切目線等を入れておき、その切断により、端フラップ５同士の連結を解除できるようにすると、作業性が向上する。
【００３４】
そのほか、トレイ２０として、プラスチック成形品を例示しているが、トレイ２０は、段ボール等の紙製のほか、木製や竹かごのようなものであってもよい。
【符号の説明】
【００３５】
１  天板
２  側板
３  底フラップ
４  天端片
４ａ  指掛部
５  端フラップ
６  底端片
７  指穴
１０  トレイカバー箱
２０  トレイ
Ｔ  チューブ商品
【図１】
0006050186.tif 000002
【図２】
0006050186.tif 000003
【図３】
0006050186.tif 000004
【図４】
0006050186.tif 000005
【図５】
0006050186.tif 000006